(57)【要約】【課題】使用時においては、片手で容易にキャップ部の脱着が可能なキャップ係合解除構造を備えると共に、筆記具の不使用時、及び携帯時に、誤ってキャップ部が脱着して筆記具ケースや洋服等を汚す虞が無く、且つ、上記キャップ係合解除構造が、上記キャップ部を外した後の筆記作業の妨げとなることのないキャップ係合解除構造を備える筆記具を提供する。【解決手段】全体円筒状に形成された軸筒部と、上記軸筒部内に挿通され、上記軸筒部の一方端部から先端部が突出して配設された芯軸部と、上記芯軸部の先端部及び上記軸筒部の一方端部を外方から被覆するキャップ部と、上記キャップ部に設けられたクリップ部とを有し、上記キャップ部により軸筒部を被覆した場合に上記キャップ部を軸筒部に係合固定する係合部とを有し、上記軸筒部には、上記キャップ部が上記軸筒部を被覆した場合に上記クリップ部の先端部に当接しうる段部が、上記軸筒部の周方向に沿って所定間隔離間して複数設けられた構成とする。【選択図】  図１
2010030163.tif 000002
【特許請求の範囲】
【請求項１】
全体円筒状に形成された軸筒部と、上記軸筒部内に挿通され、上記軸筒部の一方端部から先端部が突出して配設された芯軸部と、上記芯軸部の先端部及び上記軸筒部の一方端部を外方から被覆するキャップ部と、上記キャップ部に設けられたクリップ部とを有し、上記キャップ部により軸筒部を被覆した場合に上記キャップ部を軸筒部に係合固定する係合部とを有し、
上記軸筒部には、上記キャップ部が上記軸筒部を被覆した場合に上記クリップ部の先端部に当接しうる段部が、上記軸筒部の周方向に沿って所定間隔離間して複数設けられ、上記クリップ部の先端部を上記段部に当接させた状態で、上記クリップ部の先端部を上記段部に圧接させることにより、上記キャップ部の軸筒部に対する係合固定を解除しうると共に、上記クリップ部の先端部を上記段部に当接しない位置に配置した場合は、上記キャップ部の軸筒部に対する係合固定が解除されないように構成されたことを特徴とするキャップ係合解除構造。
【請求項２】
上記段部は、上記軸筒部の外周寸法の１／４の幅寸法に形成され、上記軸筒部の径方向において互いに対向するように、上記軸筒部の外周寸法の１／４の寸法分離間して、全体として２ヶ所に設けられていることを特徴とする請求項１記載のキャップ係合解除構造。
【請求項３】
上記クリップ部は、クリップ部本体部が径方向外方へ膨出して形成されると共に、上記段部は、上記軸筒部の外側面部において径方向に突出して形成されており、上記クリップ部本体部をクリップ部に向かって径方向に押圧し、上記クリップ部の先端部を上記段部に対して圧接させることを特徴とする請求項１記載のキャップ係合解除構造。
【請求項４】
上記クリップ部本体部は、平面細長板状であって側面円弧状に形成されていることを特徴とする請求項３記載のキャップ係合解除構造。
【請求項５】
上記段部は、上記軸筒部の外周面部において、径方向に設けられた溝部により形成されていることを特徴とする請求項１記載のキャップ係合解除構造。
【請求項６】
上記クリップ部は、合成樹脂からなることを特徴とする請求項１記載のキャップ係合解除構造。
【発明の詳細な説明】
【技術分野】
【０００１】
本発明は軸筒部に装着したキャップ部を片手で脱着可能とするキャップ部開閉機構を備える筆記具に関する。
【背景技術】
【０００２】
一般的に、ボールペン、サインペン等の筆記具の先端部には、ペン先部分の保護、及び乾燥防止等を目的として、上記筆記具の軸筒部に係合して、上記軸筒部の一方端部を外方から被覆するキャップ部が装着されている。
【０００３】
上記キャップ部を上記軸筒部から脱着する場合は、一方の手で軸筒部を把持した上で、他方の手でキャップ部を把持して、上記キャップ部を軸方向外方に引き、上記軸筒部とキャップ部との係合を解除する必要があり、片手の自由が利かない場合には、キャップ部の脱着操作を行い難いという不具合を有していた。
上記不具合を解決し、片手でキャップ部を脱着することが可能なキャップ係合解除構造を備えた筆記具が提案されている（特許文献１）。
図６に示すように、上記特許文献１に係る筆記具８０は、先端部に筆記部８１を突出して保持する軸筒部８２と、この軸筒部８２の先端部の筆記部８１を被覆するように軸筒部８２の先端部近傍において係合保持された筆記具用キャップ部８３とから構成され、筆記具用キャップ部８３の開口部周縁部８４をテーパー状に薄肉化することによって傾斜面８５を形成すると共に、軸筒部８２に先端部を爪部８６とするクリップ部８７を弾性を持って当接自在に付設した上で、上記軸筒部８２に付設される筆記具用キャップ部８３の開口部周縁部８４に対するクリップ部８７の爪部８６の押圧により、筆記具用キャップ部８３を脱着自在となるように形成されている。
【０００４】
図７上段（ａ）に示すように、上記特許文献１に係る筆記具８０の使用者が軸筒部８２から筆記具用キャップ部８３を脱着する場合には、図７下段（ｂ）に示すように、筆記具８０を構成する軸筒部８２に付設されるクリップ部８７を上記筆記軸の径方向両端部から指等により、上記軸筒部８２に係合保持されている筆記具用キャップ部８３の方向（図７（ｂ）中の矢印Ａ）に押圧することで、上記軸筒部８２に付設されるクリップ部８７の先端部の爪部８６，８６が、筆記具用キャップ部８３の開口部周縁部８４において、テーパー状に薄肉化することによって形成された傾斜面８５に沿って、径方向内方に向かって移動すると共に、筆記具用キャップ部８３を上記軸筒部８２の先端部方向（図７（ｂ）中の矢印Ｂ）に向かって押し上げるため、軸筒部８２に係合保持されている筆記具用キャップ部８３は軸筒部８２との係合が解除されて、上記軸筒部８２から脱着する。
従って、他の作業を行いながらであっても、片手のみで上記筆記具用キャップ部８３を脱着することが可能である。
【０００５】
しかしながら、上記特許文献１に係る筆記具８０を筆記具ケースに収納して持ち運ぶ場合、若しくは洋服等のポケット部に収納して携帯する場合に、筆記具ケース内部の他の筆記具、若しくは身体に当たる等の要因によって、図７（ｂ）に示すように、上記クリップ部８７が誤って押圧されて、筆記具用キャップ部８３が外れる虞があり、その際に、筆記部８１（図７には図示せず）のインク等によって筆記具ケース内部や洋服等のポケット内部を汚してしまう虞があるという不具合を有していた。
【０００６】
また、図６に示すように、上記特許文献１に係る筆記具８０にあっては、上記クリップ部８７は上記軸筒部８２に取り付けられていることから、上記筆記具用キャップ部８３を外した後、上記軸筒部８２を把持して筆記作業を行う際に、上記クリップ部８７が邪魔となり、スムーズな筆記作業が阻害される虞があるという別途の不具合をも有していた。
【０００７】
【特許文献１】特開平１１−２０８１８４号公報
【発明の開示】
【発明が解決しようとする課題】
【０００８】
そこで本発明の技術的課題は、使用時においては、片手で容易にキャップ部の脱着が可能なキャップ係合解除構造を備えると共に、筆記具の不使用時、及び携帯時に、誤ってキャップ部が脱着して筆記具ケースや洋服等を汚す虞が無く、且つ、キャップ部を外した後に筆記作業を阻害することのないキャップ係合解除構造を備える筆記具を提供することにある。
【課題を解決するための手段】
【０００９】
上記課題を解決するために、請求項１に記載した発明にあっては、全体円筒状に形成された軸筒部と、上記軸筒部内に挿通され、上記軸筒部の一方端部から先端部が突出して配設された芯軸部と、上記芯軸部の先端部及び上記軸筒部の一方端部を外方から被覆するキャップ部と、上記キャップ部に設けられたクリップ部とを有し、上記キャップ部により軸筒部を被覆した場合に上記キャップ部を軸筒部に係合固定する係合部とを有し、上記軸筒部には、上記キャップ部が上記軸筒部を被覆した場合に上記クリップ部の先端部に当接しうる段部が、上記軸筒部の周方向に沿って所定間隔離間して複数設けられ、上記クリップ部の先端部を上記段部に当接させた状態で、上記クリップ部の先端部を上記段部に圧接させることにより、上記キャップ部の軸筒部に対する係合固定を解除しうると共に、上記クリップ部の先端部を上記段部に当接しない位置に配置した場合は、上記キャップ部の軸筒部に対する係合固定が解除されないように構成されたことを特徴とする。
【００１０】
従って、上記段部を上記クリップ部の先端部によって圧接した場合、上記クリップ部の先端部が上記段部により押し返されることで、上記キャップ部と上記軸筒部との係合が解除される。
また、筆記具の不使用時においては、上記キャップ部を周方向に回転させて、上記クリップ部の先端部が上記段部と当接しない位置に配置することによって、上記クリップ部の先端部が、上記段部に誤って押圧された場合であっても、上記キャップ部が上記軸筒部から不要に脱着する事態が防止される。
【００１１】
また、請求項２に記載した発明にあっては、上記段部は、上記軸筒部の外周寸法の１／４の幅寸法に形成され、上記軸筒部の径方向において互いに対向するように、上記軸筒部の外周寸法の１／４の寸法分離間して、全体として２ヶ所に設けられていることを特徴とする。
【００１２】
従って、筆記具の不使用時においては、上記クリップ部の先端部と上記段部とを当接させた状態から、上記キャップ部を周方向に１／４回転させることで、上記クリップ部の先端部が上記段部と当接しない位置に配置され、上記クリップ部の先端部が、上記段部に誤って押圧された場合であっても、上記キャップ部が上記軸筒部から不要に脱着する事態が防止される。
【００１３】
また、請求項３に記載した発明にあっては、上記クリップ部は、クリップ部本体部が径方向外方へ膨出して形成されると共に、上記段部は、上記軸筒部の外側面部において径方向に突出して形成されており、上記クリップ部本体部をクリップ部に向かって径方向に押圧し、上記クリップ部の先端部を上記段部に対して圧接させることを特徴とする。
【００１４】
従って、上記軸筒部に上記キャップ部を係合させて装着し、上記段部に上記クリップ部の他端部を当接させた状態で、上記筆記具を手で把持し、把持した手の指で上記クリップ部の膨出部分を上記軸筒部の径方向内方に向かって押圧することによって、上記クリップ部の先端部を上記段部に圧接することによって、上記クリップ部は、上記段部からの反作用力により押し返されて、上記キャップ部と上記軸筒部との係合が解除され、上記キャップ部が上記軸筒部から脱着する。
【００１５】
また、請求項４の発明にあっては、上記クリップ部本体部は、平面細長板状であって側面円弧状に形成されていることを特徴とする。
従って、上記クリップ部本体部は弾性力が生じ、上記クリップ部本体部を軸筒部の径方向内方に向かって押圧して、上記キャップ部を上記軸筒部から脱着した後に、押圧を解除することによって、上記クリップ部本体部は、上記弾性力によって速やかに基の形状に復元する。
【００１６】
また、請求項５の発明にあっては、上記段部は、上記軸筒部の外周面部において、径方向に設けられた溝部により形成されていることを特徴とする。
従って、上記クリップ部の先端部を上記溝部に当接させ、上記クリップ部の先端部を上記溝部に圧接することによって、上記クリップ部は、上記溝部からの反作用力により押し返され、上記キャップ部と上記軸筒部との係合が解除され、上記キャップ部が上記軸筒部から脱着する。
【００１７】
また、請求項６の発明にあっては、上記クリップ部は、合成樹脂からなることを特徴とする。
【発明の効果】
【００１８】
請求項１の発明に係るキャップ係合解除構造にあっては、軸筒部の一方端部と芯軸部の先端部を外方から被覆するキャップ部と、上記キャップ部に設けられたクリップ部とを有し、上記キャップ部により軸筒部を被覆した場合に上記キャップ部を軸筒部に係合固定する係合部とを有し、上記軸筒部には、上記キャップ部が上記軸筒部を被覆した場合に上記クリップ部の先端部に当接しうる段部が、上記軸筒部の周方向に沿って所定間隔離間して複数設けられ、上記クリップ部の先端部を上記段部に対して圧接させることにより、上記係合部におけるキャップ部の軸筒部に対する係合固定を解除すると共に、上記クリップ部の先端部を上記段部に当接しない位置に配置した場合は、上記係合部におけるキャップ部の軸筒部に対する係合固定が解除されないように構成され、請求項２の発明に係るキャップ係合解除構造にあっては、上記段部は、上記軸筒部の外周寸法の１／４の幅寸法に形成され、上記軸筒部の径方向において互いに対向するように、上記軸筒部の外周寸法の１／４の寸法分離間して、全体として２ヶ所に設けられていることから、使用時においては、片手で容易にキャップ部の脱着が可能なキャップ係合解除構造を備えると共に、筆記具の不使用時、及び携帯時に、誤ってキャップ部が脱着して筆記具ケースや洋服等を汚す虞がない筆記具を提供することが可能となる。
また、上記クリップ部は上記キャップ部に取り付けられていることから、上記クリップ部が、上記キャップ部を外した後に、筆記作業の妨げとなることがないキャップ係合解除構造を有する筆記具を提供することが可能となる。
【００１９】
また、請求項３の発明に係るキャップ係合解除構造にあっては、クリップ部本体部が径方向外方へ膨出して形成されると共に、上記段部は、上記軸筒部の外側面部において径方向に突出して形成されており、また、請求項４の発明に係るキャップ係合解除構造にあっては、上記クリップ部本体部は、平面細長板状であって側面円弧状に形成されていることから、少ない部品点数で、且つ極めて簡易な部品のみで、上記キャップ係合解除構造を実現することが可能となる。
従って、従来の筆記具の軸筒部に簡易な部品を付加することにより、容易に上記キャップ係合解除構造を形成することが可能であり、請求項１の発明の効果に加え、製造コストの増加を抑えつつ、本発明に係るキャップ係合解除構造を有する筆記具を提供することが可能である。
【００２０】
また、請求項５の発明に係るキャップ係合解除構造にあっては、上記段部は、上記軸筒部の外周面部において、径方向に設けられた溝部により形成されていることから、通常の筆記具の軸筒部に、簡易な加工を施すことにより、容易に上記段部を形成することが可能であり、請求項２および３の発明の効果に加え、更に部品点数が少なく、製造コストを低減することが可能となる。
【００２１】
また、請求項６の発明に係るキャップ係合解除構造にあっては、上記クリップ部は、合成樹脂からなることから、上記クリップ部を金属により形成した場合と比較して、軽量であり、且つ原料コストを低減させることが可能となる。
【発明を実施するための最良の形態】
【００２２】
以下、クリップ部本体部が平面細長板状であって側面円弧状に形成され、軸筒部の段部が上記軸筒部の外側面部において径方向に突出して形成されている場合を例として、本発明の実施の形態を図面を用いて説明する。
図１に示すように、本実施例に係るキャップ係合解除構造１０を有する筆記具１１は、全体円筒状に形成された軸筒部１２と、上記軸筒部１２内に挿通され、上記軸筒部１２の一方端部から先端部が突出して配設された芯軸部１３と、上記芯軸部１３の先端部及び上記軸筒部１２の一方端部を外方から被覆するキャップ部１４と、上記キャップ部１４に設けられたクリップ部１５とを有し、上記キャップ部１４により上記軸筒部１２を被覆した場合に、上記キャップ部１４を上記軸筒部１２に係合固定する係合部１６とを有し、上記軸筒部１２には、上記キャップ部１４が上記軸筒部１２の一方端部を被覆して装着した場合に、上記クリップ部１５の先端部２７に当接する段部１７が設けられている。
また、図４に示すように、上記段部１７は、上記軸筒部１２の外周寸法の１／４の幅寸法に形成され、上記軸筒部１２の径方向において互いに対向するように、上記軸筒部１２の外周寸法の１／４の寸法分離間して、全体として２ヶ所に設けられている。
また、図１に示すように上記クリップ部１５は、合成樹脂からなり、平面細長板状であって側面円弧状に形成されたクリップ部本体部１８が径方向外方へ膨出して形成されると共に、上記段部１７は、上記軸筒部１２の外側面部において径方向に突出して形成されている。
【実施例１】
【００２３】
上記形態における実施例の構成について以下図面を用いて詳述する。
図１は、本実施例に係るキャップ係合解除構造１０を備える筆記具を備える筆記具１１の軸方向断面図である。
図１に示すように、本実施例の筆記具１１は、全体円筒形状の軸筒部１２の内部には、上記軸筒部１２よりも小径に形成され、シャープペンシルにおける筆記芯、若しくはボールペンにおけるインク等を格納する芯軸部１３が挿通されている。
上記軸筒部１２の先端部側には、先端に向かって次第に細径にとなるテーパー状に形成された先端部材１９が取り付けられている。
上記芯軸部１３は、上記先端部材１９の内部を貫通し、上記先端部材１９の先端から筆記部２０を突出した状態に配設されると共に、上記芯軸部１３の基端部２１は、上記軸筒部の基端部２２に螺着された尾栓部材２３に固定されている。
また、図１に示すように、上記キャップ部１４は有底円筒状に形成され、上記キャップ部１４の内周面部の開口部２４の近傍において、上記キャップ部１４の径方向内方に突出する突起部２５が設けられ、上記軸筒部１２の中央部からやや先端部よりの外周面部には、上記キャップ部１４を上記軸筒部１２に装着した場合に、上記突起部２５と係合する係合溝部２６が設けられ、上記突起部２５と上記係合溝部２６が係合することで、上記キャップ部１４は上記軸筒部１２に固定されている。
また、上記クリップ部１５は、合成樹脂からなる薄型の平面細長板状に形成され、上記軸筒部１２の径方向外方に向かって、断面略円弧状に膨出する形状に形成されたクリップ部本体部１８を有し、上記クリップ部１５の先端部２７は、上記段部１７に当接すると共に、基端部２８は上記キャップ部１４の先端部に固定されている。
【００２４】
上記構成における本実施例の作用について図面を用いて説明する。
図１に示すように、上記突起部２５と係合溝部２６とを係合させ、且つ上記クリップ部１５の先端部２７と上記段部１７とを当接させて、上記キャップ部１４を上記軸筒部１２に装着した状態において、上記軸筒部１２を手で把持し、把持した手の指によって、上記クリップ部１５のクリップ部本体部１８の円弧頂上部を、上記軸筒部１２の径方向内方（図１中の矢印Ｃの方向）に向かって押圧する。
これにより、図２に示すように、上記クリップ部本体部１８が上記クリップ部本体部１８の長さ方向に伸延し、上記クリップ部１５の先端部２７は、上記段部１７に対して押圧される。
この結果、上記段部１７から上記先端部２７に対して、上記の押圧力と同量の反作用力が作用し、上記先端部２７は上記軸筒部１２の軸方向外方に向かって押し返され、上記反作用力が上記キャップ部１４の突起部２５と上記軸筒部１２の係合溝部２６との係合力を上回った時点で、係合が解除され、上記キャップ部１４は、上記軸筒部１２の軸方向外方（図２中の矢印Ｄの方向）に移動して上記軸筒部１２から脱着される。
上記一連の操作は、上記軸筒部１２を把持した手のみで行うことが可能であり、片手がふさがっている状態においても、もう一方の手のみで容易に上記キャップ部１４を脱着することが可能となる。
また、上記クリップ部１５は、上記キャップ部１４に固定されていることから、特許文献１に示す発明に係る筆記具と異なり、上記キャップ部１４を外した後に、上記軸筒部１２を把持して筆記作業を行う際にも、上記クリップ部１５が筆記作業を阻害することがない。
【００２５】
また、図３に示すように、上記キャップ部１４を上記軸筒部１２に装着した状態のまま、上記キャップ部１４を上記軸筒部１２の周方向に沿って１／４回転させて、上記クリップ部１５の先端部２７を、上記段部１７が設けられていない位置に配置した場合の径方向側面図である。
図３に示すように、上記先端部２７と上記段部１７とが当接しないため、図３に示す状態において、上記クリップ１５のクリップ部本体部１８の円弧頂上部を矢印Ｅの方向に押圧し、上記クリップ部本体部１８が上記クリップ部本体部１８の長さ方向に伸延した場合であっても、上記の反作用力が上記先端部２７に対して作用することが無く、上記キャップ部１４が脱着されることがない。
従って筆記具１１を使用せずに筆記具ケースに収納する場合、若しくは洋服のポケット等に収納して携帯する場合時に、誤って上記キャップ部１４が脱着し、筆記具ケースの内部や洋服等を汚す虞が無い。
【実施例２】
【００２６】
また、図５は、軸筒部１２に設けた段部１７が、上記軸筒部１２の外周面部において、径方向内方に向かって設けられた溝部２９により形成されている場合の筆記具１１の軸方向断面図である。
図５に示すように、クリップ部１５の先端部２７は上記軸筒部１２の溝部２９に当接している。
上記溝部２９は、上記軸筒部１２の径方向において互いに対向するように、上記軸筒部１２の外周寸法の１／４の寸法分離間して、全体として２ヶ所に設けられている
なお、上記溝部２９以外の各部位の構成は、実施例１と同様である。
本実施例の構成において、上記クリップ部１５のクリップ部本体部１８の円弧頂上部を矢印Ｆの方向に押圧した場合は、上記クリップ部本体部１８が上記クリップ部本体部１８の長さ方向に伸延し、上記クリップ部１５の先端部２７は、上記溝部２９に対して押圧される。
この結果、上記溝部２９から上記先端部２７に対して、上記の押圧力と同一の反作用力が作用し、上記先端部２７は、上記軸筒部１２の軸方向外方に向かって押し返され、上記反作用力が上記キャップ部１４の突起部２５と上記軸筒部１２の係合溝部２６の係合力を上回った時点で、係合が解除され、上記キャップ部１４は、上記軸筒部１２の軸方向外方に移動して上記軸筒部１２から脱着される。
本実施例の構成によれば、実施例１の作用効果のほか、段部１７が溝部２９で形成されていることから、段部１７を形成するために別途の部品を必要としない。
従って、より少ない部品点数で、キャップ係合解除構造を構築することが可能であり、実施例１の効果に加え、製造コスト低減させることが可能となる。
【００２７】
なお、実施例１及び２においては、軸筒部に設けられた溝部と、キャップ部の内周に設けられた突起部とが係合することによって、上記キャップ部が上記軸筒部に装着される構成としているが、上記キャップ部の内周に溝部を設けると共に、軸筒部の外周に突起部を設けて上記溝部と突起部を係合させる構成としても、実施例１及び２と同一の作用効果を得ることが可能である。
【産業上の利用可能性】
【００２８】
本発明は、軸筒部に装着したキャップ部を片手で脱着可能とするキャップ部開閉機構を備える筆記具に広く適用することが可能である。
【図面の簡単な説明】
【００２９】
【図１】本発明のキャップ係合解除構造を有する筆記具の一実施の形態を示し、実施の形態おける、上記筆記具の軸方向断面図である。
【図２】本発明のキャップ係合解除構造を有する筆記具の一実施の形態を示し、図１の状態において、クリップ部本体部の円弧頂上部を径方向内方に向かって押圧した状態の上記筆記具の軸方向断面図である。
【図３】本発明のキャップ係合解除構造を有する筆記具の一実施の形態を示し、クリップ部の先端部と軸筒部の段部との当接を解除した状態の上記筆記具の径方向側面図である。
【図４】図４におけるＡ−Ａ線断面図である。
【図５】本発明のキャップ係合解除構造を有する筆記具の他の実施の形態を示し、実施の形態における上記筆記具の軸方向断面図である。
【図６】従来の筆記具の径方向側面図である。
【図７】図６に示す筆記具のキャップ部脱着の操作を示す径方向拡大側面図である。
【符号の説明】
【００３０】
１０  キャップ係合解除構
１１  筆記具
１２  軸筒部
１３  芯軸部
１４  キャップ部
１５  クリップ部
１６  係合部
１７  段部
１８  クリップ部本体部
１９  先端部材
２０  筆記部
２１  芯軸部の基端部
２２  軸筒部の基端部
２３  尾栓部材
２４  キャップ部の開口部
２５  突起部
２６  係合溝部
２７  クリップ部の先端部
２８  クリップ部の基端部
２９  溝部
８０  筆記具
８１  筆記部
８２  軸筒部
８３  キャップ部
８４  キャップ部の開口部周縁部
８５  傾斜面
８６  爪部
８７  クリップ部
【図１】
2010030163.tif 000003
【図２】
2010030163.tif 000004
【図３】
2010030163.tif 000005
【図４】
2010030163.tif 000006
【図５】
2010030163.tif 000007
【図６】
2010030163.tif 000008
【図７】
2010030163.tif 000009